(57)【特許請求の範囲】
【請求項１】
圧縮機の電源端子部の複数の接続端子を相互に隔絶し、これらの接続端子に接続される圧縮機接続電源ケーブルの端子を保持したケーブル線を収納するケーブル溝を内側に設け、
前記ケーブル溝に収納した前記圧縮機接続電源ケーブルの前記端子を、前記ケーブル溝の開口部側に取り付けたケーブル保持カバーによって保持し、
前記端子を収納する複数の接続溝が形成され、前記ケーブル溝が各前記接続溝から同方向に引き出される電源端子保護カバーであって、
前記電源端子保護カバーには、前記接続溝の両側にそれぞれ位置する固定腕が設けられ、前記電源端子保護カバーが前記電源端子部を跨るようにして前記圧縮機に固定されるものであり、
前記固定腕を前記圧縮機に設けたスタッドボルトに固定するナットのねじ穴に、ねじ溝がない部分を設けたことを特徴とする電源端子保護カバー。
【請求項２】
前記固定腕は、前記ケーブル溝の引き出し方向と反対方向に延設されていることを特徴とする請求項１記載の電源端子保護カバー。
【発明の詳細な説明】
【技術分野】
【０００１】
本発明は圧縮機の電源端子保護カバーに係り、より詳しくは、電源端子部を備えた圧縮機において、圧縮機接続電源ケーブルの接続時に使用される電源端子保護カバーに関する。
【背景技術】
【０００２】
従来の圧縮機の電源端子保護装置は圧縮機の電源端子部に配設され、その外側に電源端子保護カバーが取り付けられた２部品構成となっていた。電源端子保護装置は、本体部に複数ある電源接続タブ端子を相互に隔絶する仕切壁を有し、かつ、仕切壁とつながり、電源接続タブ端子を囲う外側壁を形成していた（例えば、特許文献１参照。）。
【０００３】
【特許文献１】特開平５−９９１４４号公報（第３頁、図１−図２）
【発明の開示】
【発明が解決しようとする課題】
【０００４】
従来の圧縮機の電源端子保護装置は仕切壁と外側壁を有しているがそれ自体固定されておらず、電源端子保護カバーとの間に隙間があるため、電源端子保護装置が浮き、電源端子保護カバーを取付ける前に、ケーブル線が電源端子保護装置と圧縮機の外郭部との間に挟み込まれる恐れがあった。
また、電源端子保護カバーと電源端子保護装置が部品としてわかれているため、取付け作業性が悪い等の問題もあった。
【０００５】
本発明は、上記のような課題を解決するためになされたもので、圧縮機接続電源ケーブルを圧縮機の外郭部と電源端子保護装置との間に挟み込むことがない構造にして、組立作業の品質を向上させることができる圧縮機の電源端子保護カバーを提供することを目的とする。
【０００６】
また、圧縮機の電源端子部に接続する圧縮機接続電源ケーブルの端子の保持と、ケーブル線経路を導くことができるようにして、組立作業性の改善をはかった圧縮機の電源端子保護カバーを提供することを目的とする。
【０００７】
さらに、従来は電源端子保護装置と電源端子保護カバーが別々な部品として構成されていたものを一体化にすることにより、部品数の削減を得ることができる圧縮機の電源端子保護カバーを提供することを目的とする。
【課題を解決するための手段】
【０００８】
本発明に係る電源端子保護カバーは、圧縮機の電源端子部の複数の接続端子を相互に隔絶し、これらの接続端子に接続される圧縮機接続電源ケーブルの端子を保持したケーブル線を収納するケーブル溝を内側に設け、前記ケーブル溝に収納した前記圧縮機接続電源ケーブルの前記端子を、前記ケーブル溝の開口部側に取り付けたケーブル保持カバーによって保持し、前記端子を収納する複数の接続溝が形成され、前記ケーブル溝が各前記接続溝から同方向に引き出される電源端子保護カバーであって、前記電源端子保護カバーには、前記接続溝の両側にそれぞれ位置する固定腕が設けられ、前記電源端子保護カバーが前記電源端子部を跨るようにして前記圧縮機に固定されるものであり、前記固定腕を前記圧縮機に設けたスタッドボルトに固定するナットのねじ穴に、ねじ溝がない部分を設けたものである。
【発明の効果】
【０００９】
電源端子保護カバーは、接続端子を相互に隔絶するガイド溝を有し、圧縮機接続電源ケーブルの端子があらかじめガイド溝内に保持され、これによりそのケーブルを導くことができるので、誤結線をなくすことができる。また、ガイド溝を電源端子保護カバーに直接形成するようにしたので、圧縮機接続電源ケーブルを電源端子部に接続端子に容易に取付けることができ、生産工程が短縮化し、歩留りも向上する。
【発明を実施するための最良の形態】
【００１０】
実施の形態１．
図１は本発明の実施の形態１に係る圧縮機の電源端子保護カバーの天板を除去した（図２のＡ−Ａ断面相当）状態の上面図、図２は図１の電源端子保護カバーをガイド溝の溝方向に沿って切断した縦断面図、図３は図１の電源端子保護カバーをガイド溝の溝方向に直交して切断した縦断面図である。
図において、圧縮機１は空気調和機等に搭載され、その外郭には電源端子部２が配設されており、電源端子部２には圧縮機接続電源ケーブルの端子（後述）と接続する電源接続タブ端子３（接続端子ともいう）が、複数個（本実施の形態では３個）設けられている。
【００１１】
圧縮機１には電源端子部２を保護する電源端子保護カバー１０が取付けられており、その内側には電源接続タブ端子３を相互に隔絶するガイド溝１１が複数個所（本実施の形態では３個所）に設けられ、それぞれのガイド溝１１内には圧縮機接続電源ケーブル２０が収納されている。圧縮機接続電源ケーブル２０は、圧縮機接続電源ケーブルの端子２０ａ（以下、ファストン端子２０ａという）とケーブル線２０ｂ（リード線ともいう）とから構成され、ファストン端子２０ａは電源端子部２の電源接続タブ端子３と接続される。
【００１２】
ガイド溝１１は、電源接続タブ端子３と接続するファストン端子２０ａを収納する接続溝１１ａと、接続溝１１ａと連通してケーブル線２０ｂを収納するケーブル溝１１ｂとによって構成されている。接続溝１１ａは電源端子保護カバー１０に同心状に設けられ、それぞれのケーブル溝１１ｂが電源端子保護カバー１０から同方向に引き出される。
【００１３】
電源端子保護カバー１０にはケーブル保持カバー３０が取り付けられ、圧縮機接続電源ケーブル２０をガイド溝１１の開口側から嵌合保持している。すなわち、ガイド溝１１の外壁面には、図３に示すように、例えば半球状の係合凹部１５ａ、１５ｂが設けられ、一方、ケーブル保持カバー３０の嵌合溝３１の両内壁には、ガイド溝１１の係合凹部１５ａ、１５ｂに対応して係合凸部３２ａ、３２ｂが設けられている。そして、ガイド溝１１の開口部側から、その外壁にケーブル保持カバー３０の嵌合溝３１を嵌合し、その係合凸部３２ａ、３２ｂを係合凹部１５ａ、１５ｂに係合することにより、ケーブル保持カバー３０はガイド溝１１の開口部側に一体に結合される。なお、上記の結合手段はこれに限定するものではない。
【００１４】
電源端子保護カバー１０には固定腕１２が２個所設けられ、ナット１３により圧縮機１に固定されている。固定腕１２は、ほぼ同心状に設けられた接続溝１１ａの両側に位置しており、ケーブル溝１１ｂの引き出し方向と反対方向に張り出している。こうして、電源端子保護カバー１０は電源端子部２を跨るようにして一定の方向に配向して取り付けられ、圧縮機接続電源ケーブル２０を上方向から均等に押え付ける。
【００１５】
次に本実施の形態の作用について説明する。
電源端子保護カバー１０のガイド溝１１に圧縮機接続電源ケーブル２０を収納し、ガイド溝１１の開口側からケーブル保持カバー３０を取付けて圧縮機接続電源ケーブル２０を保持する。このとき、ガイド溝１１の接続溝１１ａにはファストン端子２０ａが収納され、ケーブル溝１１ｂにはケーブル線２０ｂが収納される。
そして、圧縮機接続電源ケーブル２０を収納して一体化された電源端子保護カバー１０を、圧縮機１の電源端子部２を跨るように配設して、ファストン端子２０ａを電源接続タブ端子３と接続し、固定腕１２のナット１３を締め付け、電源接続タブ端子３を上方から均等に押え付ける。これにより、電源端子保護カバー１０が圧縮機１に取り付けられて起動可能となる。
【００１６】
実施の形態１によれば、圧縮機接続電源ケーブル２０は、電源端子保護カバー１０のガイド溝１１とケーブル保持カバー３０とによって保持されているので、これらを一体の部品として、圧縮機１の電源端子部２に容易に取り付けることができる。そして、圧縮機接続電線ケーブル２０は、圧縮機１を形成する容器部分との間にはさみ込まれることなく取付けることができる。
【００１７】
また、電源端子保護カバー１０の固定腕１２は圧縮機１の電源端子部２を跨ぐようにして配設されているので、電源端子保護カバー１０の取付腕１２を圧縮機１に設けたスタッドボルト１４（図４）に挿入してナット１３で締付けることにより、圧縮機接続電源ケーブル２０を電源端子部２の上方から均等に押え付けることができる。このため、ファストン端子２０ａが電源接続タブ端子３に不完全に接続されている場合であっても、ファストン端子２０ａを確実に接続することができる。
さらに、電源端子保護カバー１０の固定腕１２と電源端子部２は同じ平面上の同一直線上にないので、取付け方向が一定であり、圧縮機接続電源ケーブル２０の誤結線を防止することができる。
【００１８】
実施の形態２．
図４は本発明の実施の形態２に係る圧縮機の電源端子保護カバーの固定部を示す縦断面図である。なお、実施の形態１と同一部分には同じ符号を付し、説明を省略する。
本実施の形態２は、圧縮機１の電源接続タブ端子３に圧縮機接続電源ケーブル２０のファストン端子２０ａが不完全接続の状態では、電源端子保護カバー１０の取付腕１２の締付けナット１３を締付けることができないようにしてある。
すなわち、図４において、ナット１３のネジ部はネジ溝のない部分を有しており、ナット１３をスタッドボルト１４に締め付けた際に、不完全接続の状態では、ナット１３側のネジ部にスタッドボルト１４のネジが掛からず、ナット１３の締付けができないようにしたものである。
【００１９】
本実施の形態２によれば、電源端子保護カバー１０を固定するナット１３のネジ穴にネジ溝がない部分を有しているので、電源端子保護カバー１０の固定腕１２に圧縮機１の容器上面に設けたスタッドボルト１４が完全に突出するとナット１３の締付けができ、圧縮機１の電源接続タブ端子３と圧縮機接続電源ケーブル２０のファストン端子２０ａが不完全接続にならず、電気的に確実に接続される。
【図面の簡単な説明】
【００２０】
【図１】本発明の実施の形態１に係る圧縮機の電源端子保護カバーの天板を除去した状態の上面図である。
【図２】図１の電源端子保護カバーをガイド溝の溝方向に沿って切断した縦断面図である。
【図３】図１の電源端子保護カバーをガイド溝の溝方向に直交させて切断した縦断面図である。
【図４】本発明の実施の形態２に係る圧縮機の電源端子保護カバーの固定部を示す縦断面図である。
【符号の説明】
【００２１】
１  圧縮機、２  電源端子部、３  電源接続タブ端子（接続端子）、１０  電源端子保護カバー、１１  ガイド溝、１１ａ  接続溝（ほぼ同心状に設けられたガイド溝）、１１ｂ  ケーブル溝（ケーブル線を収納するガイド溝）、１２  固定腕、１３  ナット、１４  スタッドボルト、２０  圧縮機接続電源ケーブル、２０ａ  ファストン端子（端子）、２０ｂ  ケーブル線、３０  ケーブル保持カバー。
【図１】
0005078699.tif 000002
【図２】
0005078699.tif 000003
【図３】
0005078699.tif 000004
【図４】
0005078699.tif 000005